(57)【要約】【課題】媒体の両面に液体を吐出する際のユーザーの負荷を抑制する。【解決手段】搬送方向Ａに搬送される媒体Ｐに、液体を吐出可能な吐出部６と、搬送方向Ａの上流側から吐出部６における前記液体の吐出領域Ｒに媒体Ｐを送出可能な第１のユニット２と、吐出領域Ｒから搬送方向Ａの下流側に送られた媒体Ｐを回収可能な第２のユニット４と、を備える液体吐出装置１であって、第２のユニット４は、吐出部６から設置部２７側に向かう方向において第１のユニット２と重なる位置で、搬送方向Ａの上流側から吐出領域Ｒに媒体Ｐを送出可能であるとともに、第１のユニット２は、吐出部６から設置部２７側に向かう方向において第２のユニット４と重なる位置で、吐出領域Ｒから搬送方向Ａの下流側に送られた媒体Ｐを回収可能である。【選択図】図１
2016034732.tif 000002
【特許請求の範囲】
【請求項１】
搬送方向に搬送される媒体に、液体を吐出可能な吐出部と、
前記搬送方向の上流側から前記吐出部における前記液体の吐出領域に前記媒体を送出可能な第１のユニットと、
前記吐出領域から前記搬送方向の下流側に送られた前記媒体を回収可能な第２のユニットと、を備える液体吐出装置であって、
前記第２のユニットは、前記吐出部から前記液体吐出装置の設置部側に向かう方向において前記第１のユニットと重なる位置で、前記搬送方向の上流側から前記吐出領域に前記媒体を送出可能であるとともに、
前記第１のユニットは、前記吐出部から前記設置部側に向かう方向において前記第２のユニットと重なる位置で、前記吐出領域から前記搬送方向の下流側に送られた前記媒体を回収可能であることを特徴とする液体吐出装置。
【請求項２】
搬送方向に搬送される媒体に、液体を吐出可能な吐出部と、
送出位置において、前記搬送方向の上流側から前記吐出部における前記液体の吐出領域に前記媒体を送出可能な第１のユニットと、
回収位置において、前記吐出領域から前記搬送方向の下流側に送られた前記媒体を回収可能な第２のユニットと、を備える液体吐出装置であって、
前記第２のユニットは、前記吐出部から前記液体吐出装置の設置部側に向かう方向において前記第１のユニットと異なる位置で、前記搬送方向の上流側から前記吐出領域に前記媒体を送出可能であるとともに、
前記第１のユニットは、前記吐出部から前記設置部側に向かう方向において前記第２のユニットと異なる位置で、前記吐出領域から前記搬送方向の下流側に送られた前記媒体を回収可能であることを特徴とする液体吐出装置。
【請求項３】
請求項１または２に記載の液体吐出装置において、
前記第１のユニットは、送出位置において前記搬送方向の上流側から前記吐出領域に前記媒体を送出可能であるともに、前記送出位置から移動することなく、前記吐出領域から前記搬送方向の下流側に送られた前記媒体を回収可能であり、
前記第２のユニットは、回収位置において前記吐出領域から前記搬送方向の下流側に送られた前記媒体を回収可能であるとともに、前記回収位置から移動することなく、前記搬送方向の上流側から前記吐出領域に前記媒体を送出可能であることを特徴とする液体吐出装置。
【請求項４】
請求項１から３のいずれか１項に記載の液体吐出装置において、
前記第１のユニット及び前記第２のユニットは、前記搬送方向と交差する方向に回転軸を有する回転体であり、前記媒体としてのロール状の媒体を回転させることにより送出可能であるとともにロール状に巻き取って回収可能であることを特徴とする液体吐出装置。
【請求項５】
請求項４に記載の液体吐出装置において、
前記第１のユニット及び前記第２のユニットの少なくとも一方は、第１の回転方向及び該第１の回転方向とは反対側の回転方向である第２の回転方向に回転可能であることを特徴とする液体吐出装置。
【請求項６】
請求項１から５のいずれか１項に記載の液体吐出装置において、
前記第１のユニット及び前記第２のユニットは、前記吐出部よりも前記設置部側に設けられることを特徴とする液体吐出装置。
【請求項７】
請求項１から６のいずれか１項に記載の液体吐出装置において、
前記媒体が前記第１のユニット及び前記第２のユニットの少なくとも一方と干渉することを抑制する干渉抑制部を備えることを特徴とする液体吐出装置。
【請求項８】
送出位置において、液体を吐出可能な吐出部における前記液体の吐出領域に、媒体の搬送方向の上流側から、第１のユニットにより前記媒体を送出する第１の送出工程と、
前記吐出領域に送出された前記媒体の第１の面に、前記液体を吐出する第１の吐出工程と、
回収位置において、前記第１の面に前記液体が吐出された前記媒体を、前記吐出領域よりも前記搬送方向の下流側から、第２のユニットにより回収する第１の回収工程と、
前記第２のユニットを前記回収位置から移動させることなく、前記第２のユニットにより前記搬送方向の上流側から前記吐出領域に前記媒体を送出する第２の送出工程と、
前記吐出領域に送出された前記媒体の前記第１の面とは反対側の第２の面に、前記液体を吐出する第２の吐出工程と、
前記第１のユニットを前記送出位置から移動させることなく、前記吐出領域から前記搬送方向の下流側に送られた前記媒体を、前記第１のユニットにより回収する第２の回収工程と、
を有することを特徴とする液体吐出方法。
【発明の詳細な説明】
【技術分野】
【０００１】
本発明は、液体吐出装置及び液体吐出方法に関する。
【背景技術】
【０００２】
従来から、インクなどの液体を媒体に吐出する液体吐出装置が使用されている。このうち、ロール状の媒体に液体を吐出する液体吐出装置がある。  
例えば、特許文献１には、ロール状の媒体を記録位置に送出可能な繰り出し手段と、記録がなされた媒体をロール状に巻き取る巻き取り手段と、を備える液体吐出装置としての記録装置が開示されている。
【先行技術文献】
【特許文献】
【０００３】
【特許文献１】特開２０１２−１６６９１５号公報
【発明の概要】
【発明が解決しようとする課題】
【０００４】
ここで、液体を媒体に吐出する液体吐出装置において、該媒体の両面に液体を吐出することは、一般的に行われている。  
しかしながら、特許文献１の装置のような、ロール状の媒体を記録位置に送出可能な繰り出し手段と、記録がなされた媒体をロール状に巻き取る巻き取り手段と、を備える液体吐出装置などでは、媒体の両面に液体を吐出するために、ユーザーは、巻き取り手段で巻き取った媒体を一度巻き取り手段などから取り外し、改めて繰り出し手段などに該媒体をセットする必要があった。特に、媒体として大きく重いものを使用する場合、ユーザーにとってこのような作業が大きな負荷になっていた。
【０００５】
そこで、本発明の目的は、媒体の両面に液体を吐出する際のユーザーの負荷を抑制することである。
【課題を解決するための手段】
【０００６】
上記課題を解決するための本発明の第１の態様の液体吐出装置は、搬送方向に搬送される媒体に、液体を吐出可能な吐出部と、前記搬送方向の上流側から前記吐出部における前記液体の吐出領域に前記媒体を送出可能な第１のユニットと、前記吐出領域から前記搬送方向の下流側に送られた前記媒体を回収可能な第２のユニットと、を備える液体吐出装置であって、前記第２のユニットは、前記吐出部から前記液体吐出装置の設置部側に向かう方向において前記第１のユニットと重なる位置で、前記搬送方向の上流側から前記吐出領域に前記媒体を送出可能であるとともに、前記第１のユニットは、前記吐出部から前記設置部側に向かう方向において前記第２のユニットと重なる位置で、前記吐出領域から前記搬送方向の下流側に送られた前記媒体を回収可能であることを特徴とする。
【０００７】
本発明の第２の態様の液体吐出装置は、搬送方向に搬送される媒体に、液体を吐出可能な吐出部と、送出位置において、前記搬送方向の上流側から前記吐出部における前記液体の吐出領域に前記媒体を送出可能な第１のユニットと、回収位置において、前記吐出領域から前記搬送方向の下流側に送られた前記媒体を回収可能な第２のユニットと、を備える液体吐出装置であって、前記第２のユニットは、前記吐出部から前記液体吐出装置の設置部側に向かう方向において前記第１のユニットと異なる位置で、前記搬送方向の上流側から前記吐出領域に前記媒体を送出可能であるとともに、前記第１のユニットは、前記吐出部から前記設置部側に向かう方向において前記第２のユニットと異なる位置で、前記吐出領域から前記搬送方向の下流側に送られた前記媒体を回収可能であることを特徴とする。
【０００８】
本発明の第３の態様の液体吐出装置は、前記第１または第２の態様において、前記第１のユニットは、送出位置において前記搬送方向の上流側から前記吐出領域に前記媒体を送出可能であるともに、前記送出位置から移動することなく、前記吐出領域から前記搬送方向の下流側に送られた前記媒体を回収可能であり、前記第２のユニットは、回収位置において前記吐出領域から前記搬送方向の下流側に送られた前記媒体を回収可能であるとともに、前記回収位置から移動することなく、前記搬送方向の上流側から前記吐出領域に前記媒体を送出可能であることを特徴とする。
【０００９】
本発明の第４の態様の液体吐出装置は、前記第１から第３のいずれか１つの態様において、前記第１のユニット及び前記第２のユニットは、前記搬送方向と交差する方向に回転軸を有する回転体であり、前記媒体としてのロール状の媒体を回転させることにより送出可能であるとともにロール状に巻き取って回収可能であることを特徴とする。
【００１０】
本発明の第５の態様の液体吐出装置は、前記第４の態様において、前記第１のユニット及び前記第２のユニットの少なくとも一方は、第１の回転方向及び該第１の回転方向とは反対側の回転方向である第２の回転方向に回転可能であることを特徴とする。
【００１１】
本発明の第６の態様の液体吐出装置は、前記第１から第５のいずれか１つの態様において、前記第１のユニット及び前記第２のユニットは、前記吐出部よりも前記設置部側に設けられることを特徴とする。
【００１２】
本発明の第７の態様の液体吐出装置は、前記第１から第６のいずれか１つの態様において、前記媒体が前記第１のユニット及び前記第２のユニットの少なくとも一方と干渉することを抑制する干渉抑制部を備えることを特徴とする。
【００１３】
本発明の第８の態様の液体吐出方法は、送出位置において、液体を吐出可能な吐出部における前記液体の吐出領域に、媒体の搬送方向の上流側から、第１のユニットにより前記媒体を送出する第１の送出工程と、前記吐出領域に送出された前記媒体の第１の面に、前記液体を吐出する第１の吐出工程と、回収位置において、前記第１の面に前記液体が吐出された前記媒体を、前記吐出領域よりも前記搬送方向の下流側から、第２のユニットにより回収する第１の回収工程と、前記第２のユニットを前記回収位置から移動させることなく、前記第２のユニットにより前記搬送方向の上流側から前記吐出領域に前記媒体を送出する第２の送出工程と、前記吐出領域に送出された前記媒体の前記第１の面とは反対側の第２の面に、前記液体を吐出する第２の吐出工程と、前記第１のユニットを前記送出位置から移動させることなく、前記吐出領域から前記搬送方向の下流側に送られた前記媒体を、前記第１のユニットにより回収する第２の回収工程と、を有することを特徴とする。
【発明の効果】
【００１４】
本発明によれば、媒体の両面に液体を吐出する際のユーザーの負荷を抑制することができる。
【図面の簡単な説明】
【００１５】
【図１】本発明の実施例１に係る記録装置を表す概略側面図。
【図２】本発明の実施例１に係る記録装置を表す概略側面図。
【図３】本発明の実施例１に係る記録装置を表す概略正面図。
【図４】本発明の実施例１に係る記録装置のブロック図。
【図５】本発明の実施例２に係る記録装置を表す概略側面図。
【図６】本発明の実施例２に係る記録装置を表す概略側面図。
【図７】本発明の一実施例に係る液体吐出方法のフローチャート。
【図８】従来の記録装置を表す概略側面図。
【発明を実施するための形態】
【００１６】
以下に、本発明の液体吐出装置としての一実施例に係る記録装置について、添付図面を参照して詳細に説明する。
【００１７】
［実施例１］（図１〜図４）
図１及び図２は本実施例の記録装置１を表す概略側面図である。このうち、図１は、第１のユニットとしてのセット部２から第２のユニットとしての巻取部４まで被記録媒体Ｐ（媒体）を搬送する場合の状態を表す図である。一方、図２は、第２のユニットとしての巻取部４から第１のユニットとしてのセット部２まで被記録媒体Ｐを搬送する場合の状態を表す図である。  
また、図３は、本実施例の記録装置１を表す概略正面図である。なお、図３は被記録媒体Ｐがセット部２にセットされただけの状態を表している。
【００１８】
図１で表されるように、本実施例の記録装置１は、被記録媒体Ｐをインクの吐出領域Ｒに送出可能な第１のユニットとしての被記録媒体Ｐのセット部２から、被記録媒体Ｐの支持部であるプラテン３を介して、被記録媒体Ｐを回収可能な第２のユニットとしての被記録媒体Ｐの巻取部４まで、被記録媒体Ｐを搬送方向Ａに搬送することが可能である。すなわち、図１で表される状態の場合、セット部２から巻取部４までが記録装置１における被記録媒体Ｐの搬送経路であり、プラテン３は該搬送経路に設けられた被記録媒体Ｐの支持部である。なお、図１の状態から記録を実行する場合、セット部２では第１の回転方向である回転方向Ｃ１に被記録媒体Ｐが回転しながら該被記録媒体Ｐが送出され、巻取部４は回転方向Ｃ１に回転して被記録媒体Ｐを巻き取る。
【００１９】
別の表現をすると、本実施例の記録装置１において、セット部２及び巻取部４は、搬送方向Ａと交差する方向Ｂに回転軸を有する回転体である。このため、被記録媒体Ｐとしてロール状の被記録媒体Ｐを使用した場合に、該被記録媒体Ｐを回転させることにより該被記録媒体Ｐを送出するとともに該被記録媒体Ｐをロール状に巻き取って回収する構成である。
【００２０】
なお、本実施例の記録装置１は、ロール状の被記録媒体Ｐに記録を行うことが可能な構成であるが、このような構成に限定されず、単票状の被記録媒体Ｐに記録を行うことが可能な構成であってもよい。単票状の被記録媒体Ｐに記録を行うことが可能な構成である場合、被記録媒体Ｐのセット部２として、例えば、所謂、給紙（給送）トレイ及び給紙（給送）カセットなどと呼ばれるものを使用してもよい。また、被記録媒体Ｐの回収部として、巻取部４以外の回収部として、例えば、所謂、排出用受部、排紙（排出）トレイ及び排紙（排出）カセットなどと呼ばれるものを使用してもよい。
【００２１】
なお、本実施例の記録装置１は、被記録媒体Ｐの両面に記録を行うことが可能である。図１は、被記録媒体Ｐのロールの外側の面である第１の面１６に記録を行うことが可能な被記録媒体Ｐのセット状態を表している。この場合の被記録媒体Ｐのセット状態においては、セット部２は回転方向Ｃ１に回転する。一方、被記録媒体Ｐのロールの内側の面である第２の面１７に記録を行う場合は、被記録媒体Ｐを図１の状態とは左右入れ替えてセット部２にセットした上で、セット部２は回転方向Ｃ１とは逆の第２の回転方向である回転方向Ｃ２に回転する。  
そして、同様に、図１では、本実施例の巻取部４は被記録媒体Ｐの第１の面１６が外側になるように巻き取る状態であるので、巻取部４は回転方向Ｃ１に回転する。一方、第１の面１６が内側になるように巻き取る場合は、巻取部４は回転方向Ｃ２に回転する。  
なお、本実施例では、被記録媒体Ｐのロールの外側の面を第１の面とし、被記録媒体Ｐのロールの内側の面を第２の面としたが、この対応関係は逆であってもよい。また、第１の回転方向を回転方向Ｃ１とし、第２の回転方向を回転方向Ｃ２としたが、この対応関係は逆であってもよい。
【００２２】
一方、図２は、図１の状態で第１の面１６に記録がなされた、被記録媒体Ｐの第２の面１７に記録を行うことが可能な被記録媒体Ｐのセット状態を表している。詳細には、巻取部４から、被記録媒体Ｐの支持部であるプラテン３を介して、セット部２まで、被記録媒体Ｐを搬送方向Ａに搬送することが可能な状態を表している。すなわち、図２で表される状態の場合、巻取部４からセット部２までが記録装置１における被記録媒体Ｐの搬送経路である。図２で表される状態の場合の被記録媒体Ｐのセット状態においては、第２の面１７に記録を行うことが可能なように、巻取部４を回転方向Ｃ２に回転して被記録媒体Ｐを送出する。  
そして、図２では、本実施例のセット部２は被記録媒体Ｐの第２の面１７が外側になるように巻き取る状態であるので、セット部２は回転方向Ｃ１に回転する。一方、第２の面１７が内側になるように巻き取る場合は、セット部２は回転方向Ｃ２に回転する。
【００２３】
また、本実施例の記録装置１は、被記録媒体Ｐの搬送経路に、搬送方向Ａと交差する交差方向Ｂの回転軸を有するローラー対で構成される不図示の搬送部が設けられている。このような構成により、本実施例の記録装置１は、被記録媒体Ｐの搬送経路において、搬送部が被記録媒体Ｐを搬送することによって、セット部２にセットされたロール状の被記録媒体Ｐが引き出され、搬送部により搬送された該被記録媒体を巻取部４で巻き取る。  
ここでセット部２は回転可能な構成であればよく、自発的な回転は必須ではないが、必要に応じて引き出される被記録媒体Ｐに張力を加えられるように回転抵抗を付加できる構成としてもよいし、あるいは回転方向に自発的な回転を一定速度で行うような制御をしてもよい。
【００２４】
また、本実施例の記録装置１は、被記録媒体Ｐの搬送経路におけるプラテン３と対向する側に吐出部としての記録ヘッド６が備えられている。記録装置１は、キャリッジ５を介して交差方向Ｂに記録ヘッド６を往復移動させながら、記録ヘッド６のノズル形成面から被記録媒体Ｐにインクを吐出させて、吐出領域Ｒにおいて、所望の画像を形成する。このような構成により、吐出部としての記録ヘッド６は、被記録媒体Ｐに液体としてのインクを吐出することができる。
【００２５】
また、セット部２及び巻取部４は、記録ヘッド６との位置関係から、記録ヘッド６よりも記録装置１の設置部２７側である下側に設けられている。本実施例の記録装置１のように、一般的な構成の記録装置では、設置部２７が下側になる。すなわち、セット部２及び巻取部４を記録ヘッド６よりも下側に設けることにより、被記録媒体Ｐを持ち上げる長さを短くし、セット部２及び巻取部４への被記録媒体Ｐの取り付け及びこれらからの被記録媒体Ｐの取り外しを容易にしている。  
なお、「設置部」とは、記録装置１が設置される際に、設置される場所の床と接触する部材を意味する。
【００２６】
また、さらに詳細には、本実施例の記録装置１では、セット部２及び巻取部４は、鉛直方向である方向Ｄにおいて重なる位置に設けられている。別の表現をすると、セット部２及び巻取部４は、記録ヘッド６から設置部２７側に向かう方向である方向Ｄにおいて重なる位置に設けられている。  
このため、図１及び図２で表されるように、セット部２及び巻取部４のどちらから被記録媒体Ｐを送出させた場合においても、セット部２及び巻取部４と被記録媒体Ｐとが干渉しづらくなっており、このような簡単な構成で、これらの干渉を抑制している。  
このような構成により、被記録媒体Ｐの両面に記録する場合に、巻取部４からセット部２に該被記録媒体Ｐを移動させることなく被記録媒体Ｐの両面に記録することができる。したがって、被記録媒体Ｐの両面に記録する際のユーザーの負荷を抑制することが可能な構成になっている。
【００２７】
なお、本実施例の記録装置１は、往復移動しながら記録する記録ヘッド６を備えているが、インクを吐出するノズルを搬送方向Ａと交差する交差方向Ｂに複数設けた所謂ラインヘッドを備える記録装置でもよい。  
ここで、「ラインヘッド」とは、被記録媒体Ｐの搬送方向Ａと交差する交差方向Ｂに形成されたノズルの領域が、被記録媒体Ｐの交差方向Ｂ全体をカバー可能なように設けられ、記録ヘッド又は被記録媒体Ｐを相対的に移動させて画像を形成する記録装置に用いられる記録ヘッドである。なお、ラインヘッドの交差方向Ｂのノズルの領域は、記録装置が対応している全ての被記録媒体Ｐの交差方向Ｂ全体をカバー可能でなくてもよい。
【００２８】
上記のように、本実施例の記録装置１では、セット部２及び巻取部４は、共に、搬送方向Ａの上流側から吐出領域Ｒに被記録媒体Ｐを送出可能であるとともに、吐出領域Ｒよりも搬送方向Ａの下流側で被記録媒体Ｐを巻き取って回収することが可能である。ここで、本実施例のセット部２及び巻取部４は、共に、脚部７に固定されている。このため、セット部２及び巻取部４は、共に、被記録媒体Ｐの送出位置と被記録媒体Ｐの回収位置が同じである。
【００２９】
別の表現をすると、本実施例のセット部２は、送出位置２８において、搬送方向Ａの上流側から吐出領域Ｒに被記録媒体Ｐを送出可能であるとともに、送出位置２８から移動することなく、吐出領域Ｒから搬送方向Ａの下流側に送られた被記録媒体Ｐを回収可能である。そして、本実施例の巻取部４は、回収位置２９において、吐出領域Ｒから搬送方向Ａの下流側に送られた被記録媒体Ｐを回収可能であるとともに、回収位置２９から移動することなく、吐出領域Ｒに被記録媒体Ｐを送出可能である。  
このような構成により、被記録媒体Ｐの第１の面１６にインクが吐出されて巻取部４により回収された被記録媒体Ｐの第２の面１７にインクを吐出する場合に、巻取部４からセット部２に該被記録媒体Ｐを移動させることを省略することが可能になっている。また、この際、セット部２及び巻取部４を移動することも省略することができる。したがって、被記録媒体Ｐの両面に記録する際のユーザーの負荷を抑制することが可能な構成になっている。
【００３０】
一方、図８で表されるような従来の記録装置１では、第１の面１６への記録が終了した後、第２の面１７に記録を行うためには、一度、巻取部４で巻き取った被記録媒体Ｐのロールを巻取部４から取り外し、被記録媒体Ｐを持って記録装置１の正面側から背面側に移動し、改めて該被記録媒体Ｐをセット部２にセットする必要があった。これは、従来の記録装置１では、被記録媒体Ｐの両面に記録をする際、巻取部４で巻き取った被記録媒体Ｐのロールを巻取部４から取り外し、改めて該被記録媒体Ｐをセット部２にセットすることを前提にして作られていたためである。被記録媒体Ｐの大きさや種類によっては、被記録媒体Ｐのロールの重量が大きい場合がある。被記録媒体Ｐのロールの重量が大きいと、巻取部４からセット部２に被記録媒体Ｐのロールを移動させることは、ユーザーにとって大きな負荷になる。このため、従来の記録装置１において、重量が大きい被記録媒体Ｐの両面に記録を行うことは、ユーザーに大きな負荷をかけることとなっていた。
【００３１】
ここで、本実施例の記録装置１は、第１の面１６に記録されて巻取部４で巻き取った被記録媒体Ｐの第２の面１７に記録する場合、巻取部４から被記録媒体Ｐを送出する際に回転方向Ｃ２に回転することができる構成になっている。このように、セット部２及び巻取部４の少なくとも一方を、第１の回転方向である回転方向Ｃ１及び第２の回転方向である回転方向Ｃ２に回転可能とすることで、被記録媒体Ｐを反転させることなく、前回インクを吐出させた面とは反対側の面にインクを吐出させることができる。セット部２及び巻取部４から取り外して被記録媒体Ｐを反転させることはユーザーに負荷をかけ、セット部２及び巻取部４の反転機構を記録装置１に設けることは困難である場合が多い。このため、セット部２及び巻取部４の少なくとも一方を、第１の回転方向である回転方向Ｃ１及び第２の回転方向である回転方向Ｃ２に回転可能とする構成であることが好ましい。
【００３２】
次に、本実施例の記録装置１における電気的な構成について説明する。  
図４は、本実施例の記録装置１のブロック図である。  
制御部１０には、記録装置１の全体の制御を司るＣＰＵ１１が設けられている。ＣＰＵ１１は、システムバス１２を介して、ＣＰＵ１１が実行する各種制御プログラム等を格納したＲＯＭ１３と、データを一時的に格納可能なＲＡＭ１４と、接続されている。
【００３３】
また、ＣＰＵ１１は、システムバス１２を介して、記録ヘッド６を駆動するためのヘッド駆動部１５と接続されている。  
また、ＣＰＵ１１は、システムバス１２を介して、キャリッジ５を移動させるためのキャリッジモーター１９、セット部２の駆動源である送出モーター２０、搬送部を構成するローラー対における駆動ローラーの駆動源である搬送モーター２１、巻取部４の駆動源である巻取モーター２２、を駆動させるためのモーター駆動部１８と接続されている。  
さらに、ＣＰＵ１１は、システムバス１２を介して、入出力部２３と接続されており、入出力部２３は、記録データ等を記録装置１に入力する外部装置であるＰＣ２４、と接続されている。
【００３４】
［実施例２］（図５、図６）
次に、実施例２の記録装置について、添付図面を参照して詳細に説明する。  
図５及び図６は本実施例の記録装置１を表す概略側面図である。このうち、図５は、セット部２から巻取部４まで被記録媒体Ｐを搬送する場合の状態を表す図である。一方、図６は、巻取部４からセット部２まで被記録媒体Ｐを搬送する場合の状態を表す図である。なお、上記実施例１と共通する構成部材は同じ符号で示しており、詳細な説明は省略する。  
なお、本実施例の記録装置１は、セット部２及び巻取部４の配置が異なることと、干渉抑制部８が設けられていること以外は、実施例１の記録装置１と同様の構成である。
【００３５】
実施例１の記録装置１のセット部２及び巻取部４は、方向Ｄにおいて重なる位置に配置されていた。一方、本実施例の記録装置１のセット部２及び巻取部４は、方向Ｄにおいて重ならない位置、すなわち、方向Ｄにおいて異なる位置に設けられている。具体的には、実施例１の記録装置１のセット部２による送出位置２８が、本実施例の記録装置１のセット部２では送出位置３０になっており、実施例１の記録装置１の巻取部４による回収位置２９が、本実施例の記録装置１の巻取部４では回収位置３１になっている。ただし、セット部２及び巻取部４が脚部７に固定されており移動しないのは、本実施例の記録装置１も実施例１の記録装置１と同様である。  
セット部２及び巻取部４の位置が近いと、例えば大きな被記録媒体Ｐを使用する場合に、セット部２及び巻取部４に被記録媒体Ｐを取り付ける際や、セット部２及び巻取部４から被記録媒体Ｐを取り外す際に、セット部２及び巻取部４が被記録媒体Ｐと干渉して操作性が低下する場合がある。  
一方、本実施例の記録装置１は、セット部２及び巻取部４が方向Ｄにおいて異なる位置に設けられているため、両者の間の距離が長くなり、セット部２及び巻取部４と被記録媒体Ｐとが干渉しづらくなっている。このため、第１のセット部２及び巻取部４への被記録媒体Ｐの取り付け及びこれらからの被記録媒体Ｐの取り外しを容易にしている。  
また、別の表現をすると、本実施例の記録装置１では、巻取部４は、記録ヘッド６から設置部２７側に向かう方向Ｄにおいてセット部２と異なる位置であって送出位置３０よりも回収位置３１に近い位置で、搬送方向Ａの上流側から吐出領域Ｒに被記録媒体Ｐを送出可能である。そして、セット部２は、記録ヘッド６から設置部２７側に向かう方向Ｄにおいて巻取部４と異なる位置であって回収位置３１よりも送出位置３０に近い位置で、吐出領域Ｒから搬送方向Ａの下流側に送られた被記録媒体Ｐを回収可能である。  
本実施例の記録装置１は、このような構成により、被記録媒体Ｐの両面に記録する場合に、巻取部４からセット部２に該被記録媒体Ｐを移動させることなく被記録媒体Ｐの両面に記録することができる。したがって、被記録媒体Ｐの両面に記録する際のユーザーの負荷を抑制することが可能な構成になっている。
【００３６】
さらに、本実施例の記録装置１は、図５及び図６で表されるように、被記録媒体Ｐがセット部２及び巻取部４と干渉することを抑制する干渉抑制部８を備えている。このため、セット部２及び巻取部４と被記録媒体Ｐとの干渉を抑制している。  
ここで、「被記録媒体Ｐがセット部２及び巻取部４と干渉することを抑制する」とは、干渉抑制部８が無ければ被記録媒体Ｐがセット部２及び巻取部４の少なくとも一方と干渉するところ、該干渉抑制部８があることでこれらの干渉を防止又は低減できることを意味する。
【００３７】
このように、被記録媒体Ｐがセット部２及び巻取部４の少なくとも一方と干渉することを抑制する干渉抑制部８を備えることで、例え大きな被記録媒体Ｐを用いた場合であっても、効果的にセット部２及び巻取部４と被記録媒体Ｐとの干渉を抑制することができる。なお、本実施例の干渉抑制部８は、被記録媒体Ｐに張力を付与することが可能な張力付与部の役割を兼ねているが、干渉抑制部８はこのような構成に限定されない。例えば干渉部８を必要箇所に複数設けてもよい。  
また、当然のことではあるが、実施例１の記録装置１のように、セット部２及び巻取部４が方向Ｄにおいて重なる位置に配置されている構成の記録装置１に、本実施例のような干渉抑制部８を設けてもよい。
【００３８】
［液体吐出方法の実施例］（図７）
次に、実施例１の記録装置１を用いた液体吐出方法（記録方法）の実施例について説明する。  
図７は、本実施例の液体吐出方法のフローチャートである。
【００３９】
ユーザーが記録装置１に被記録媒体Ｐを図１で表される状態にセットし、ＰＣ２４から被記録媒体Ｐの第１の面１６に記録するための記録データを制御部１０が入力すると、実施例１の記録装置１において、最初に、ステップＳ１１０の被記録媒体Ｐの送出工程（第１の送出工程）で、セット部２は、送出位置２８において、被記録媒体Ｐを送出する。詳細には、搬送部が被記録媒体Ｐを搬送方向Ａの上流からインクの吐出領域Ｒに送出することにより、送出位置２８においてセット部２から被記録媒体Ｐが送出される。これにより、被記録媒体Ｐにおけるインクを着弾させる所望の箇所を該吐出領域Ｒに送出する。
【００４０】
次に、ステップＳ１２０の第１の面１６への記録工程（第１の吐出工程）で、吐出領域Ｒに送出された被記録媒体Ｐの第１の面１６の所望の箇所に、記録ヘッド６からインクを吐出する。
【００４１】
次に、ステップＳ１３０の被記録媒体Ｐの巻き取り工程（第１の回収工程）で、第１の面１６にインクが吐出された被記録媒体Ｐを、回収位置２９において巻き取ることにより、吐出領域Ｒよりも搬送方向Ａの下流側から巻取部４により巻き取って回収する。
【００４２】
次に、ステップＳ１４０の第１の記録終了判断工程において、第１の面１６に記録するための記録データに基づく記録が終了したかどうかの判断をする。そして、該記録データに基づく記録が終了したと判断されるまでステップＳ１１０からステップＳ１４０を繰り返し、該記録データに基づく記録が終了したと判断されたらステップＳ１５０に進む。  
ここでステップＳ１３０はステップＳ１１０、ステップＳ１２０、ステップＳ１４０と時間的に重なって実行してもよく、図７のようにステップ１２０の完了後に開始され、ステップＳ１４０開始前に完了する必要はない。
【００４３】
次に、ユーザーは記録装置１に被記録媒体Ｐを図２で表される状態にセットし、ＰＣ２４から被記録媒体Ｐの第２の面１７に記録するための記録データを制御部１０が入力すると、ステップＳ１５０の被記録媒体Ｐの送出工程（第２の送出工程）で、搬送部が被記録媒体Ｐを搬送方向Ａの上流からインクの吐出領域Ｒに送出することにより、回収位置２９において（回収位置２９から移動することなく）巻取部４から被記録媒体Ｐが送出される。これにより被記録媒体Ｐにおけるインクを着弾させる所望の箇所を該吐出領域Ｒに送出する。
【００４４】
次に、ステップＳ１６０の第２の面１７への記録工程（第２の吐出工程）で、吐出領域Ｒに送出された被記録媒体Ｐの第２の面１７の所望の箇所に、記録ヘッド６からインクを吐出する。
【００４５】
次に、ステップＳ１７０の被記録媒体Ｐの巻き取り工程（第２の回収工程）で、第２の面１７にインクが吐出された被記録媒体Ｐを、送出位置２８において（送出位置２８から移動することなく）巻き取ることにより、吐出領域Ｒよりも搬送方向Ａの下流側からセット部２により巻き取って回収する。
【００４６】
次に、ステップＳ１８０の第２の記録終了判断工程において、第２の面１７に記録するための記録データに基づく記録が終了したかどうかの判断をする。そして、該記録データに基づく記録が終了したと判断されるまでステップＳ１５０からステップＳ１８０を繰り返し、該記録データに基づく記録が終了したと判断されたら本実施例の液体吐出方法を終了する。  
ここでステップＳ１７０はステップＳ１５０、ステップＳ１６０、ステップＳ１８０と時間的に重なって実行してもよく、図７のようにステップ１６０の完了後に開始され、ステップＳ１８０開始前に完了する必要はない。
【００４７】
本実施例の液体吐出方法では、巻取部４は回収位置２９から移動することなく搬送方向Ａの上流側から吐出領域Ｒに被記録媒体Ｐを送出し、セット部２は送出位置２８から移動することなく吐出領域Ｒから搬送方向Ａの下流側に送られた被記録媒体Ｐを回収する。このため、被記録媒体Ｐの第１の面１６にインクが吐出されて巻取部４により回収された被記録媒体Ｐの第２の面１７にインクを吐出する場合に、巻取部４からセット部２に該被記録媒体Ｐを移動させることを省略することを可能にする。また、セット部２及び巻取部４を移動することを省略することも可能にする。したがって、該被記録媒体Ｐの両面１６及び１７に液体を吐出する際のユーザーの負荷を抑制することを可能にする。
【００４８】
なお、本発明は上記実施例に限定されることなく、特許請求の範囲に記載した発明の範囲内で種々の変形が可能であり、それらも本発明の範囲内に含まれることは言うまでもない。  
以上、本発明について具体的な実施例に基づいて詳述した。ここで、本発明について、もう一度まとめて説明する。
【００４９】
本発明の第１の態様の液体吐出装置１は、搬送方向Ａに搬送される媒体Ｐに、液体を吐出可能な吐出部６と、搬送方向Ａの上流側から吐出部６における前記液体の吐出領域Ｒに媒体Ｐを送出可能な第１のユニット２と、吐出領域Ｒから搬送方向Ａの下流側に送られた媒体Ｐを回収可能な第２のユニット４と、を備える液体吐出装置１であって、第２のユニット４は、吐出部６から液体吐出装置１の設置部２７側に向かう方向Ｄにおいて第１のユニット２と重なる位置で、搬送方向Ａの上流側から吐出領域Ｒに媒体Ｐを送出可能であるとともに、第１のユニット２は、吐出部６から設置部２７側に向かう方向Ｄにおいて第２のユニット４と重なる位置で、吐出領域Ｒから搬送方向Ａの下流側に送られた媒体Ｐを回収可能であることを特徴とする。
【００５０】
ここで、「設置部」とは、液体吐出装置１が設置される際に、設置される場所の床と接触する部材を意味する。  
本態様によれば、第２のユニット４は、吐出部６から液体吐出装置１の設置部２７側に向かう方向において第１のユニット２と重なる位置で、搬送方向Ａの上流側から吐出領域Ｒに媒体Ｐを送出可能である。そして、第１のユニット２は、吐出部６から設置部２７側に向かう方向において第２のユニット４と重なる位置で、吐出領域Ｒから搬送方向Ａの下流側に送られた媒体Ｐを回収可能である。このため、媒体Ｐの第１の面１６に液体が吐出されて第２のユニット４により回収された媒体Ｐの第２の面１７に液体を吐出する場合に、第２のユニット４から第１のユニット２に該媒体Ｐを移動させることを省略することが可能になる。したがって、媒体Ｐの両面１６及び１７に液体を吐出する際のユーザーの負荷を抑制することが可能になる。
【００５１】
本発明の第２の態様の液体吐出装置１は、搬送方向Ａに搬送される媒体に、液体を吐出可能な吐出部６と、送出位置３０において、搬送方向Ａの上流側から吐出部６における前記液体の吐出領域Ｒに媒体Ｐを送出可能な第１のユニット２と、回収位置３１において、吐出領域Ｒから搬送方向Ａの下流側に送られた媒体Ｐを回収可能な第２のユニット４と、を備える液体吐出装置１であって、第２のユニット４は、吐出部６から液体吐出装置１の設置部２７側に向かう方向において第１のユニット２と異なる位置で、搬送方向Ａの上流側から吐出領域Ｒに前記媒体を送出可能であるとともに、第１のユニット２は、吐出部６から設置部２７側に向かう方向において第２のユニット４と異なる位置で、吐出領域Ｒから搬送方向Ａの下流側に送られた媒体Ｐを回収可能であることを特徴とする。
【００５２】
ここで、「異なる位置」とは、第１のユニット２と第２のユニット４とが方向Ｄにおいて重ならない位置を意味する。  
本態様によれば、第２のユニット４は、吐出部６から液体吐出装置１の設置部２７側に向かう方向Ｄにおいて第１のユニット２と異なる位置であって送出位置３０よりも回収位置３１に近い位置で、搬送方向Ａの上流側から吐出領域Ｒに前記媒体を送出可能である。そして、第１のユニット２は、吐出部６から設置部２７側に向かう方向Ｄにおいて第２のユニット４と異なる位置であって回収位置３１よりも送出位置３０に近い位置で、吐出領域Ｒから搬送方向Ａの下流側に送られた媒体Ｐを回収可能である。このため、媒体Ｐの第１の面１６に液体が吐出されて第２のユニット４により回収された媒体Ｐの第２の面１７に液体を吐出する場合に、第２のユニット４から第１のユニット２に該媒体Ｐを移動させることを省略することが可能になる。したがって、媒体Ｐの両面１６及び１７に液体を吐出する際のユーザーの負荷を抑制することが可能になる。
【００５３】
本発明の第３の態様の液体吐出装置１は、前記第１または第２の態様において、第１のユニット２は、送出位置２８（３０）において搬送方向Ａの上流側から吐出領域Ｒに媒体Ｐを送出可能であるともに、送出位置２８（３０）から移動することなく、吐出領域Ｒから搬送方向Ａの下流側に送られた媒体Ｐを回収可能であり、第２のユニット４は、回収位置２９（３１）において吐出領域Ｒから搬送方向Ａの下流側に送られた媒体Ｐを回収可能であるとともに、回収位置２９（３１）から移動することなく、搬送方向Ａの上流側から吐出領域Ｒに媒体Ｐを送出可能であることを特徴とする。
【００５４】
本態様によれば、第２のユニット４は回収位置２９（３１）から移動することなく搬送方向Ａの上流側から吐出領域Ｒに媒体Ｐを送出可能であるとともに、第１のユニット２は送出位置２８（３０）から移動することなく吐出領域Ｒから搬送方向Ａの下流側に送られた媒体Ｐを回収可能である。このため、媒体Ｐの第１の面１６に液体が吐出されて第２のユニット４により回収された媒体Ｐの第２の面１７に液体を吐出する場合に、第２のユニット４から第１のユニット２に該媒体Ｐを移動させることを省略することが可能になる。また、第１のユニット２及び第２のユニット４を移動することも省略できる。したがって、媒体Ｐの両面１６及び１７に液体を吐出する際のユーザーの負荷を抑制することが可能になる。
【００５５】
本発明の第４の態様の液体吐出装置１は、前記第１から第３のいずれか１つの態様において、第１のユニット２及び第２のユニット４は、搬送方向Ａと交差する方向Ｂに回転軸を有する回転体であり、媒体Ｐとしてのロール状の媒体Ｐを回転させることにより送出可能であるとともにロール状に巻き取って回収可能であることを特徴とする。
【００５６】
本態様によれば、第１のユニット２及び第２のユニット４は、搬送方向Ａと交差する方向Ｂに回転軸を有する回転体であり、ロール状の媒体Ｐを回転させることにより送出可能であるとともにロール状に巻き取って回収可能である。このため、ロール状の媒体Ｐを使用して、第１の面１６に液体が吐出されて第２のユニット４により回収された媒体Ｐの第２の面１７に液体を吐出する場合に、第２のユニット４から第１のユニット２に該媒体Ｐを移動させることを省略することが可能になる。
【００５７】
本発明の第５の態様の液体吐出装置１は、前記第４の態様において、第１のユニット２及び第２のユニット４の少なくとも一方は、第１の回転方向Ｃ１（Ｃ２）及び該第１の回転方向Ｃ１（Ｃ２）とは反対側の回転方向である第２の回転方向Ｃ２（Ｃ１）に回転可能であることを特徴とする。
【００５８】
本態様によれば、第１のユニット２及び第２のユニット４の少なくとも一方は、第１の回転方向Ｃ１（Ｃ２）及び第２の回転方向Ｃ２（Ｃ１）に回転可能である。このため、媒体Ｐを反転させることなく、前回液体を吐出させた面１６（１７）とは反対側の面１７（１６）に液体を吐出させることが可能になる。
【００５９】
本発明の第６の態様の液体吐出装置１は、前記第１から第５のいずれか１つの態様において、第１のユニット２及び第２のユニット４は、吐出部６よりも液体吐出装置１の設置部２７側に設けられることを特徴とする。
【００６０】
本態様によれば、第１のユニット２及び第２のユニット４は、吐出部６よりも液体吐出装置１の設置部２７側に設けられる。すなわち、設置部２７が下側になる一般的な構成の液体吐出装置１において、第１のユニット２及び第２のユニット４が吐出部６よりも下側に設けられることとなり、媒体Ｐを持ち上げる長さを短くすることができ、第１のユニット２及び第２のユニット４への媒体Ｐの取り付け及びこれらからの媒体Ｐの取り外しが容易になる。
【００６１】
本発明の第７の態様の液体吐出装置１は、前記第１から第６のいずれか１つの態様において、媒体Ｐが第１のユニット２及び第２のユニット４の少なくとも一方と干渉することを抑制する干渉抑制部８を備えることを特徴とする。
【００６２】
ここで、「媒体Ｐが第１のユニット２及び第２のユニット４の少なくとも一方と干渉することを抑制する」とは、干渉抑制部８が無ければ媒体Ｐが第１のユニット２及び第２のユニット４の少なくとも一方と干渉するところ、該干渉抑制部８があることでこれらの干渉を防止又は低減できることを意味する。  
本態様によれば、媒体Ｐが第１のユニット２及び第２のユニット４の少なくとも一方と干渉することを抑制する干渉抑制部８を備える。このため、第１のユニット２及び第２のユニット４と媒体Ｐとの干渉を抑制することができる。
【００６３】
本発明の第８の態様の液体吐出方法は、送出位置２８（３０）において、液体を吐出可能な吐出部６における前記液体の吐出領域Ｒに、媒体Ｐの搬送方向Ａの上流側から、第１のユニット２により媒体Ｐを送出する第１の送出工程と、吐出領域Ｒに送出された媒体Ｐの第１の面１６に、前記液体を吐出する第１の吐出工程と、回収位置２９（３１）において、第１の面１６に前記液体が吐出された媒体Ｐを、吐出領域Ｒよりも搬送方向Ａの下流側から、第２のユニット４により回収する第１の回収工程と、第２のユニット４を回収位置２９（３１）から移動させることなく、第２のユニット４により搬送方向Ａの上流側から吐出領域Ｒに媒体Ｐを送出する第２の送出工程と、吐出領域Ｒに送出された媒体Ｐの第１の面１６とは反対側の第２の面１７に、前記液体を吐出する第２の吐出工程と、第１のユニット２を送出位置２８（３０）から移動させることなく、吐出領域Ｒから搬送方向Ａの下流側に送られた媒体Ｐを、第１のユニット２により回収する第２の回収工程と、を有することを特徴とする。
【００６４】
本態様によれば、第２のユニット４は回収位置２９（３１）から移動することなく搬送方向Ａの上流側から吐出領域Ｒに媒体Ｐを送出可能であるとともに、第１のユニット２は送出位置２８（３０）から移動することなく吐出領域Ｒから搬送方向Ａの下流側に送られた媒体Ｐを回収可能である。このため、媒体Ｐの第１の面１６に液体が吐出されて第２のユニット４により回収された媒体Ｐの第２の面１７に液体を吐出する場合に、第２のユニット４から第１のユニット２に該媒体Ｐを移動させることを省略することが可能になる。また、第１のユニット２及び第２のユニット４を移動することも省略できる。したがって、媒体Ｐの両面１６及び１７に液体を吐出する際のユーザーの負荷を抑制することが可能になる。
【符号の説明】
【００６５】
１  記録装置（液体吐出装置）、２  セット部（第１のユニット）、３  プラテン、
４  巻取部（第２のユニット）、５  キャリッジ、６  記録ヘッド（吐出部）、
７  脚部、８  干渉抑制部、１０  制御部、１１  ＣＰＵ、
１２  システムバス、１３  ＲＯＭ、１４  ＲＡＭ、１５  ヘッド駆動部、
１６  被記録媒体Ｐの第１の面、１７  被記録媒体Ｐの台２の面、
１８  モーター駆動部、１９  キャリッジモーター、２０  送出モーター、
２１  搬送モーター、２２  巻取モーター、２３  入出力部、２４  ＰＣ、
２７  設置部、２８  送出位置、２９  回収位置、３０  送出位置、
３１  回収位置、Ｐ  被記録媒体（媒体）、Ｒ  吐出領域
【図１】
2016034732.tif 000003
【図２】
2016034732.tif 000004
【図３】
2016034732.tif 000005
【図４】
2016034732.tif 000006
【図５】
2016034732.tif 000007
【図６】
2016034732.tif 000008
【図７】
2016034732.tif 000009
【図８】
2016034732.tif 000010